(57)【特許請求の範囲】
【請求項１】
乾燥機内で布地物品に賦香する方法であって、
ａ）前記物品を前記乾燥機内に配置する工程と、
ｂ）０．５Ｌ／Ｋｇ未満の水分のレベルを有する前記物品上に、香料組成物を送達する工程と、
を含み、前記組成物が、
ｉ）前記組成物の０．０１重量％〜１０重量％の香料であって、該香料が、１気圧で２６０℃未満の沸点と、２５℃において３超過のＣｌｏｇＰと、を有する少なくとも５重量％のブルーミング香料成分と、１気圧で２６０℃超過の沸点と、２５℃において３超過のＣｌｏｇＰと、を有する少なくとも１重量％の香料布地持続性成分と、を含む、香料と、
ｉｉ）前記組成物の０．０１重量％〜１０重量％の防腐剤と、
ｉｉｉ）前記組成物の０．０５重量％〜５重量％のシクロデキストリンと、
を含み、
前記香料組成物の送達が、断続的に行われる、方法。
【請求項２】
前記香料組成物が乾燥物品上に送達される、請求項１に記載の方法。
【請求項３】
前記乾燥機が、給気口と、気流プロバイダーと、糸くずスクリーンを有する排出口と、通気システムと、を回転することができるドラムを有し、前記香料組成物の送達が、前記ドラムが回転しており、前記気流のないときに行われる、請求項１又は２に記載の方法。
【請求項４】
洗濯機内で布地物品に賦香する方法であって、
ａ）前記洗濯機内に前記物品を配置する工程と、
ｂ）すすぎサイクル後に、香料組成物を前記物品上に送達する工程と、
を含み、前記組成物が、
ｉ）前記組成物の０．０１重量％〜１０重量％の香料であって、該香料が、１気圧で２６０℃未満の沸点と、２５℃において３超過のＣｌｏｇＰと、を有する少なくとも５重量％のブルーミング香料成分と、１気圧で２６０℃超過の沸点と、２５℃において３超過のＣｌｏｇＰと、を有する少なくとも１重量％の香料布地持続性成分と、を含む、香料と、
ｉｉ）前記組成物の０．０１重量％〜１０重量％の防腐剤と、
ｉｉｉ）前記組成物の０．０５重量％〜５重量％のシクロデキストリンと、
を含み、
前記香料組成物の送達が、断続的に行われる、方法。
【請求項５】
前記防腐剤が、キレート剤、有機硫黄化合物、ハロゲン化化合物、環式有機窒素化合物、低分子量アルデヒド、デヒドロ酢酸、フェニル及びフェノール化合物、並びにパラベンから選択される、請求項１〜４のいずれか一項に記載の方法。
【請求項６】
前記乾燥機又は前記洗濯機が、注入口、貯留層、送達手段、及び排出口を含む、請求項１〜５のいずれか一項に記載の方法。
【請求項７】
前記送達手段が、電気ポンプを備え、及び静電手段、超音波手段、又はこれらの混合を備える、請求項６に記載の方法。
【請求項８】
前記液体送達システムの前記排出口が、１つのノズル又は複数のノズルの形態である、請求項６又は７に記載の方法。
【請求項９】
前記香料組成物が、スプレーの形態で送達され、前記スプレーが、
ａ）１００ミクロン〜１４００ミクロンの平均粒径を有する液滴と、
ｂ）０．５〜１００ｍＬ／分の流量と、
を有する、請求項１〜８のいずれか一項に記載の方法。
【発明の詳細な説明】
【技術分野】
【０００１】
本発明は、布地処置の分野におけるものである。特に、本発明は、香料組成物を布地上に送達する工程を含む、洗濯装置内で布地に賦香する方法に関する。
【背景技術】
【０００２】
今日では、布地の洗浄は汚れの除去を要求するのみならず、ユーザーは、洗浄プロセスの一部として、布地が心地良い香りで仕上がることも期待している。布地の賦香は、洗濯機の洗浄サイクル内に送達される洗剤によって、従来実施されているが、しかしながら、これは簡単な作業ではない。一方で、洗剤は、洗浄液中で高度に希釈され、香料の濃度を低減するため、布地の良好な賦香をもたらすには、高濃度の香料が必要となる。その一方で、香料の一部は、すすぎサイクル中にすすぎ落とされる。結果として、この形態の香料送達は、次善である。洗浄に続き、乾燥がある。乾燥機で乾燥が行われるときに高温が生じ、これは香料の蒸発となる場合があり、布地上に残る香料の量を更に減少させる。
【０００３】
ユーザーは、布地が賦香されるだけでなく、洗浄プロセスが行われる領域が心地良い香りから利益を得ることを期待する。これらの目的を同時に達成するために、すなわち、洗浄が行われる領域に賦香すること及び賦香された布地が仕上がることは、容易ではない。これは、乾燥機で乾燥が行われる場合には、特に難題であり、なぜならば乾燥プロセスは高温を伴い、これは香料の蒸発に寄与し、結果として、処理された布地上にはそれほど多くの香料が残らなくなるからである。
【０００４】
国際公開第２００４／０９４５８０号は、揮発性材料を含む処理組成物を布地物品に送達する方法を記載する。処理組成物は、１気圧で、２５０℃以下の沸点を有する、少なくとも約３０重量％の賦香材料を含む香料を含む。組成物は、設定温度又は時間プロファイルと共に、乾燥機を使用して適用される。国際公開第２００４／０９４５８０号の組成物は、初めは良好な香りの布地物品を提供し得るが、長く続く賦香を提供するには十分な量でない場合がある。
【先行技術文献】
【特許文献】
【０００５】
【特許文献１】国際公開第２００４／０９４５８０号
【発明の概要】
【発明が解決しようとする課題】
【０００６】
少量の香料を用いる布地の賦香のための効果的なプロセスに対する必要性が存在し、同時に、このプロセスは、ユーザーが、乾燥プロセス中に、その経験をより楽しくするための、更なる利益を有することができるように、洗浄領域に香料を提供すべきである。
【課題を解決するための手段】
【０００７】
本発明は、洗濯機内で香料組成物を布地上に送達することによって、布地物品に賦香する方法を目的とする。香料組成物は、ブルーミング香料成分及び布地持続性香料成分を含む。本組成物は、洗濯が行われる領域（例えば、洗濯室）の賦香と、同時に、布地の賦香と、を提供する。本発明の方法において使用するための組成物は、装置の実体ではなく、かつ装置上に残留物を残さない。
【０００８】
本発明の第１態様によると、以下の工程を含む、乾燥機内で布地物品に賦香する方法が提供される：
ａ）物品を乾燥機内に配置する工程、
ｂ）物品上に香料組成物を送達する工程であって、この物品が低レベルの水分を有する、工程。水分のレベルは、約０．５Ｌ／ｋｇ未満、好ましくは約０．１Ｌ／ｋｇ未満、より好ましくは約０．０５Ｌ／ｋｇ未満である。
【０００９】
布地上に多すぎる水分が残る場合、この品目の更なる乾燥は、布地から水を除去するが、蒸発によって、香料成分の一部も除去する。したがって、残留香料が最大となるようにするために、水分レベルは約０．５Ｌ／ｋｇ未満、好ましくは約０．１Ｌ／ｋｇ未満、より好ましくは約０．０５Ｌ／ｋｇ未満でなくてはならない。水分のレベルは、国際電気標準会議法６０４５６に記載の「絶乾」法に従って測定される。
【００１０】
組成物は、以下のｉ）、ｉｉ）を含む：
ｉ）組成物の約０．０１重量％〜約１０重量％、好ましくは約０．０２重量％〜約２重量％、より好ましくは約０．１重量％〜約１重量％の香料であって、この香料は、
１気圧で２６０℃未満の沸点と、好ましくは２５℃において３超過のＣｌｏｇＰを有する香料の少なくとも５重量％、好ましくは少なくとも１０重量％、より好ましくは少なくとも２０重量％、特に少なくとも４０重量％のブルーミング香料成分と、
１気圧で２６０℃超過の沸点と、好ましくは２５℃において３超過のＣｌｏｇＰを有する香料の少なくとも１重量％、好ましくは少なくとも２重量％、より好ましくは少なくとも５重量％、特に少なくとも６重量％の香料布地持続性成分と、を含む、香料と、
ｉｉ）組成物の０．００１重量％〜１０重量％、好ましくは０．０１重量％〜５重量％、より好ましくは０．０２重量％〜１重量％の防腐剤。
【００１１】
本発明の方法において使用するための組成物は、本明細書において「本発明の組成物」と呼ばれることもある。本発明の組成物は、比較的低濃度の香料を使用して、良好な賦香をもたらす。本発明の方法を使用して、布地物品上に付着した香料の量は、従来の方法（すなわち、香料が主たる洗浄洗剤から送達される従来の洗濯）と比較して、更には乾燥機内で布地ケア組成物を送達する他の方法と比較しても、高い。
【００１２】
本発明の方法は、賦香された布地物品を製造し、同時に物品を乾燥させる領域の賦香を提供する。本発明の方法によって布地物品上に付着した香料は、長期間続く効果を可能にする高い布地持続性を有する。持続性の原因として、沸点が重要なだけでなく、ＣｌｏｇＰもまた重要である。ＣｌｏｇＰは、溶解度差（differential solubility）の尺度、又は、オクタノール／水の係数としての比較疎水性である。したがって、この値が高いほど、物質はより疎水性になる。持続性香料成分に関して、水性キャリア内の分離を超えて、布地への接着を確保するために、ＣｌｏｇＰは３超過であることが重要である。
【００１３】
好ましい実施形態では、処理される布地物品は乾燥物品である。「乾燥物品」によって、本明細書では絶乾方法によって測定されたときに、物品の０．０１重量％未満、好ましくは０．００１重量％未満の水を有する物品を意味する。物品は、まだ洗浄されていないために、又は物品が本発明の方法に供される前に、乾燥サイクルを経ているために、物品は乾燥していてもよい。乾燥物品上への本組成物の送達は、物品、特に衣類が汚れておらず、それらが１回だけ、又は数回着用されて、ユーザーは、全洗浄プロセスに衣服を供するというよりは、むしろそれらをリフレッシュしたいという場合に特に有利であり、これは時間、エネルギー、及び資源のためのみならず、洗浄プロセスは衣類の磨耗及び引き裂きの一因となる恐れがあるからである。
【００１４】
本発明の方法は、湿潤又は乾燥布地物品の処理に適しているだけでなく、それはまた、乾燥及び湿潤物品の混合物の賦香にも適している。湿潤及び乾燥物品の混合物が処理されるとき、乾燥及び湿潤物品は、それぞれが他のものの存在から利益を得るということが見出されている。乾燥物品は、わずかに湿気を帯び、しわの軽減に寄与し、布地物品上の静電気の量を低減し、湿潤物品は、より速く乾燥する。
【００１５】
好ましい実施形態では、香料組成物の送達は、ドラムが静止し、好ましくは気流がないときに、乾燥機内で行われる。これは気流内の香料組成物の損失を回避する。
【００１６】
他の実施形態では、送達は、ドラムが回転し、気流がないか、又は気流が存在するときに、好ましくは、気流がないときに、乾燥機内で行われる。これは布地物品上の香料組成物の均一かつ効果的な分布に寄与する。
【００１７】
回転乾燥機は、従来、濡れた布地を乾燥させるためのみに使用されてきている。本発明の方法は、乾燥機の新しい応用例（すなわち、乾燥布地を、これらの布地を賦香するために、処理すること）を可能にする。
【００１８】
本発明の他の態様によると、洗濯機内で行われる方法が提供され、組成物は、最終すすぎサイクルの後、高速回転サイクル前若しくは後のいずれかに、ドラムの回転を伴って又はドラムが静止した状態のいずれかで送達される。ドラムの回転は、香料の均一な分布につながる。香料組成物が物品上に適用された後、物品は洗濯棚上又は乾燥機内で乾燥される場合がある。両方の場合において、本発明の方法は、布地の優れた賦香を提供する。これは、従来の洗濯プロセスよりも、すなわち、主たる洗浄洗剤からよりも、効果的な方法で香料の付着を可能にする。従来の洗濯プロセスにおいて、香料は洗浄液中に希釈され、更に、香料は部分的又は完全に、すすぎにおいて除去される場合がある。
【００１９】
好ましい実施形態では、防腐剤は、キレート剤、有機硫黄化合物、ハロゲン化化合物、環式有機窒素化合物、低分子量アルデヒド、デヒドロ酢酸、フェニル及びフェノール化合物、並びにパラベンから選択される。好ましくは、組成物は、第四級アンモニウム化合物を含まない。
【００２０】
好ましい実施形態では、本発明の組成物は、布地物品上の悪臭を防ぐのに役立つシクロデキストリンを含む。
【００２１】
特に好ましい実施形態では、香料組成物の送達は、断続的に、好ましくはドラムが回転しているときに行われる。ドラムが回転しているときに組成物の一部が送達され、続いて、ドラムがまだ回転している状態で送達のない期間があると、非常に良好かつ均一な付着が達成され、このプロセスは多くの回数繰り返される。乾燥機内でプロセスが行われたとき、送達期間中に気流又は熱を有さないことが好ましい。
【００２２】
本発明の方法において使用する洗濯装置は通常、注入口、貯留層、送達手段、及び排出口を含む液体送達システムを備える。この注入口は、好ましくは開放可能な引き出しの形態であり、好ましくは装置の前面に配置される。貯留層の充填は、注入口から行われる。これは単回投与（よって、各投与が、異なる製品であってもよく、ユーザーに最大限の柔軟性を与える）及び／又は複数回の投与（よって、ユーザーは、装置が使用されるたびにそれを充填する必要がなく、これによって作業を簡素化する）を保持するのに適しているべきである。貯留層は、同時又は別々に送達され得る、異なる組成物の保管のための、異なる区画を有することができる（最大限の柔軟性及び作業の簡素化をもたらす）。
【００２３】
送達手段は、好ましくはポンプ、より好ましくは電気ポンプを意味する。均一かつ効果的な送達の観点から、更に、静電手段又は超音波手段、特にピエゾ電子超音波手段を含むことができる送達手段が特に適しているということが見出された。
【００２４】
排出口は、好ましくは閉鎖可能であり、よって、それは液体の送達が行われていないときに閉鎖することができる。これは、例えば、乾燥機内の乾燥プロセス中に生じる糸くず又は、洗濯機内の洗浄プロセス中に生じる汚れによって、排出口が目詰まりするのを回避するのに役立つことができる。これはまた、香料組成物を熱的に単離して維持するのにも寄与する。好ましい実施形態では、排出口は、好ましくは、香料組成物の分布及び付着の良好な均一性をもたらす方法で配置された、１本のノズル又は複数のノズルの形態である。
【００２５】
香料組成物は好ましくは、以下のａ）、ｂ）を有する、スプレーの形態で送達される：
ａ）約１００ミクロン〜約１４００ミクロン、より好ましくは約２００ミクロン〜約１３００ミクロン、更により好ましくは約３００ミクロン〜約１２００ミクロン、特に約５００ミクロン〜約１１００ミクロンの平均粒径を有する液滴と、
ｂ）約０．５〜約１００ｍＬ／分、より好ましくは約１〜約７５ｍＬ／分、更により好ましくは約２〜約５０ｍＬ／分、特に約１５〜約２５ｍＬ／分の流量。
【発明を実施するための形態】
【００２６】
本発明は、香料組成物を送達することによって、洗濯装置内で布地物品を賦香する方法を想定し、この香料はブルーミング及び布地持続性成分を含む。本方法は、要求される香料の量及び長く続く効果に関して、布地に賦香するための非常に効果的な方法を提供し、並びに、処理された布地の優れた賦香、これに加えて、洗濯室の香りを提供する。
【００２７】
「洗濯装置」によって、本明細書では、布地の洗浄の工程（布地の従来の洗浄、リフレッシュ、及び仕上げを含む）のいずれかで使用される装置を意味する。本明細書に用いるのに好ましい装置は、洗濯機（乾燥能力を伴うもの及びこれを伴わないもの）及び乾燥機、より好ましくは回転乾燥機である。
【００２８】
香料組成物
本明細書に用いられる香料組成物は、好ましくは水性組成物であり、必須成分として香料を有し、ブルーミング及び布地持続性香料成分及び防腐剤を含む。組成物は好ましくは、付着物又は布地に染みを付ける材料を含まない。
【００２９】
香料は、少なくとも約５重量％、好ましくは約６重量％〜約７０重量％、より好ましくは約１０重量％〜約６０重量、特に約１５重量％〜約５０重量％のブルーミング香料成分を含む。ブルーミング香料成分は、１気圧で約２６０℃未満、好ましくは約２５０℃未満、より好ましくは２４０℃未満の沸点と、好ましくは２５℃で３超過のＣｌｏｇＰと、１気圧で２６０℃超過の沸点と、好ましくは２５℃において３超過のＣｌｏｇＰを有する少なくとも約１重量％、好ましくは約２重量％〜約３０重量％、より好ましくは約４重量％〜約２０重量％、特に約５重量％〜約１５重量％の香料布地持続性成分と、を有する。
【００３０】
ブルーミング香料成分
ブルーミング香料成分は、その沸点（Ｂ．Ｐ．）とそのオクタノール／水の分配係数（Ｐ）を特徴とする。香料成分のオクタノール／水の分配係数は、オクタノール中と水中における香料成分の平衡濃度の比である。本発明の好ましい香料成分は、約７６０ｍｍ  Ｈｇ（１気圧）の常用標準圧力で測定される場合に、約２６０℃以下、好ましくは約２５５℃未満、より好ましくは約２５０℃未満のＢ．Ｐ．及び約１，０００以上のオクタノール／水の分配係数Ｐを有する。本発明の好ましい香料成分の分配係数は高い値を有するので、それらの１０を底とする対数、ｌｏｇＰの形で示すとより便利である。したがって、本発明の好ましい香料成分は、２５℃において、約３以上のｌｏｇＰを有する。
【００３１】
多くの香料化合物の沸点は、以下の資料に見出すことができる：
Ｐｒｏｐｅｒｔｉｅｓ  ｏｆ  Ｏｒｇａｎｉｃ  Ｃｏｍｐｏｕｎｄｓ  Ｄａｔａｂａｓｅ  ＣＤ−ＲＯＭ  Ｖｅｒ．５．０
ＣＲＣ  Ｐｒｅｓｓ
Ｂｏｃａ  Ｒａｔｏｎ，Ｆｌｏｒｉｄａ
Ｆｌａｖｏｒ  ａｎｄ  Ｆｒａｇｒａｎｃｅ−１９９５
Ａｌｄｒｉｃｈ  Ｃｈｅｍｉｃａｌ  Ｃｏ．
Ｍｉｌｗａｕｋｅｅ，Ｗｉｓｃｏｎｓｉｎ
ＳＴＮデータベース／オンライン
Ｄｅｓｉｇｎ  Ｉｎｓｔｉｔｕｔｅ  ｏｆ  ｆｏｒ  Ｐｈｙｓｉｃａｌ  Ｐｒｏｐｅｒｔｙ  Ｄａｔａ
Ａｍｅｒｉｃａｎ  Ｉｎｓｔｉｔｕｔｅ  ｏｆ  Ｃｈｅｍｉｃａｌ  Ｅｎｇｉｎｅｅｒｓ
ＳＴＮデータベース／オンライン
Ｂｅｉｌｓｔｅｉｎ  Ｈａｎｄｂｏｏｋ  ｏｆ  Ｏｒｇａｎｉｃ  Ｃｈｅｍｉｓｔｒｙ
Ｂｅｉｌｓｔｅｉｎ  Ｉｎｆｏｒｍａｔｉｏｎ  Ｓｙｓｔｅｍｓ
Ｐｅｒｆｕｍｅ  ａｎｄ  Ｆｌａｖｏｒ  Ｃｈｅｍｉｃａｌｓ
Ｓｔｅｆｆｅｎ  Ａｒｃｔａｎｄｅｒ
Ｖｏｌ．Ｉ，ＩＩ−１９６９
【００３２】
未報告の場合には、香料成分の７６０ｍｍの沸点を推定することができる。これらの沸点を概算するには以下のコンピュータープログラムが有用である：
ＭＰＢＰＶＰバージョン１．２５（著作権）１９９４〜９６  Ｍｅｙｌａｎ
Ｓｙｒａｃｕｓｅ  Ｒｅｓｅａｒｃｈ  Ｃｏｒｐｏｒａｔｉｏｎ（ＳＲＣ）
Ｓｙｒａｃｕｓｅ，Ｎｅｗ  Ｙｏｒｋ
ＺＰＡＲＣ
ＣｈｅｍＬｏｇｉｃ，Ｉｎｃ．
Ｃａｍｂｒｉｄｇｅ，Ｍａｓｓａｃｈｕｓｅｔｔｓ
【００３３】
本発明の目的に関して、香料成分の沸点は、測定された沸点であることが好ましい。
【００３４】
多数の香料成分のｌｏｇＰが報告されており、例えばＤａｙｌｉｇｈｔ  Ｃｈｅｍｉｃａｌ  Ｉｎｆｏｒｍａｔｉｏｎ  Ｓｙｓｔｅｍｓ，Ｉｎｃ．（以後「Ｄａｙｌｉｇｈｔ  ＣＩＳ」と呼ぶ）（Ｉｒｖｉｎｅ，Ｃａｌｉｆｏｒｎｉａ）から入手可能なＰｏｍｏｎａ９２データベースは、元の文献の引用と共に、多くのものを含んでいる。しかしながら、ｌｏｇＰの値は、Ｂｉｏｂｙｔｅ  Ｃｏｒｐｏｒａｔｉｏｎ（Ｃｌａｒｅｍｏｎｔ，Ｃａｌｉｆｏｒｎｉａ）から入手可能なＰａｍｏｎａ  Ｍｅｄ  Ｃｈｅｍ／Ｄａｙｌｉｇｈｔ「ＣＬＯＧＰ」プログラム、バージョン４．４２によって最も便利に算出される。このプログラムはまた、それらがＰｏｍｏｎａ９２データベースにおいて入手可能な場合には、実験的なｌｏｇＰの値も一覧にしている。「ｌｏｇＰ計算値」（ＣｌｏｇＰ）は、Ｈａｎｓｃｈ及びＬｅｏのフラグメント手法によって求められる（本明細書に参照により組み込まれる、Ａ．Ｌｅｏの「Ｃｏｍｐｒｅｈｅｎｓｉｖｅ  Ｍｅｄｉｃｉｎａｌ  Ｃｈｅｍｉｓｔｒｙ」（Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｍｓｄｅｎ，Ｅｄｓ．，ｐ．２９５，Ｐｅｒｇａｍｏｎ  Ｐｒｅｓｓ，１９９０を参照のこと）。このフラグメント手法は、各香料成分の化学構造を基に、原子の数と種類、原子の結合性、及び化学結合をも考慮に入れている。ＣｌｏｇＰ値は、最も信頼でき、物理化学的特性の評価に広く用いられており、好ましくは本発明で有用な香料成分の選択においてｌｏｇＰ実験値の代わりに用いられる。別途明記しない限り、ＣｌｏｇＰ値は、本明細書において、Ｈａｎｓｃｈ及びＬｅｏのフラグメント手法によって決定される。
【００３５】
本発明の方法に従って使用される香料は、非常に滲出性であり、かつ使用中には非常に気付かれやすい。ブルーミング香料成分は、低い香り検出レベルを有し、少量の使用を可能にする一方で、望ましい強度の香りを更に提供する。本発明の組成物は、心地良い香りを有するのみならず、組成物が使用されるとき、香りを増加させることもできる。
【００３６】
表１は、本発明の組成物に有用なブルーミング香料成分のいくつかの非限定的例を示す。本発明の香料は、好ましくは少なくとも５つの異なるブルーミング香料成分、好ましくは少なくとも６つの異なるブルーミング香料成分、より好ましくは少なくとも７つの異なるブルーミング香料成分、更に好ましくは少なくとも８若しくは９、又は更には１０以上の異なるブルーミング香料成分を含有する。様々なブルーミング成分が、望ましい特性を備える香料を作る香りの正しい複雑性を作るのに必要である。更に、本発明の香料は、好ましくは少なくとも約５０重量％のブルーミング香料成分、好ましくは少なくとも約５５重量％のブルーミング香料成分、より好ましくは少なくとも約６０重量％のブルーミング香料成分を含有する。本明細書の香料は、好ましくは、いかなる単一のブルーミング成分も、ブルーミング香料成分の合計に対して、その成分が約２重量％超過で提供されるような濃度で含有してはならず、より好ましくはブルーミング香料成分の約１．５重量％以下で、更に好ましくは約０．５重量％以下でなくてはならない。
【００３７】
香料自体は、好ましくは、６０％超過のいかなる単一の香料成分も含有してはならない。
【００３８】
天然原材料由来の最も一般的な香料成分は、複数の成分で構成される。例えば、オレンジテルペンは約９０％〜約９５％のｄ−リモネンを含有するが、その他の多くの微量成分も含有する。このような各物質が本発明のブルーミング香料組成物の配合に使用されるときには、本発明を定義する目的で、それら各物質は、１つの成分として数えられる。こうした天然香料成分の合成的複製物もまた、多数の構成成分を含み、本発明を定義する目的で１つの成分として数えられる。
【表１−１】
0005362850.tif 000002
【表１−２】
0005362850.tif 000003
【００３９】
布地持続性香料成分
本発明の香料組成物はまた、１気圧で約２６０℃超過のＢ．Ｐを有し、かつ２５℃において少なくとも約３のＣｌｏｇＰを有する布地持続性香料成分を約０．５％〜約１０％、好ましくは約１％〜約９％、より好ましくは約１．５％〜約８％、最も好ましくは約２％〜約７％も含む。これらの成分は、布地物品の長く続く賦香を提供するのに特に効果的である。表２は、こうした持続性香料成分のいくつかの非限定的例を提供する。
【００４０】
以下の表では、測定沸点は、上述の資料から取られている。推定沸点は上述のコンピュータープログラムにより割り出されたものの平均である。
【００４１】
以下のコンピュータープログラムにより２５℃における予想ＣｌｏｇＰが割り出された：
Ｐａｎｏｍａ  ＭｅｄＣｈｅｍ／Ｄａｙｌｉｇｈｔ  ＣｌｏｇＰ  Ｖ．４．４２
【表２−１】
0005362850.tif 000004
【表２−２】
0005362850.tif 000005
【００４２】
防腐剤
組成物は、約０．０００１％〜約２％の抗菌防腐剤を含む。好ましくは組成物の約０．０００２重量％〜約１重量％、より好ましくは約０．０００３重量％〜約０．５重量％、最も好ましくは約０．０００４重量％〜約０．１重量％である。
【００４３】
防腐剤は、組成物が、目障りかつ／又は悪臭となり得る微生物、及びこれに続く微生物増殖を防ぐ。防腐剤は、香料組成物の保存安定性を高めるために、微生物増殖を抑制及び／又は制御するのに効果的である。好ましくは、防腐剤は水溶性であり、かつ香料組成物中に可溶化される。本発明の組成物は、組成物がシクロデキストリンを含むときに、微生物がより増殖しやすい。
【００４４】
広域スペクトルの防腐剤、例えば、細菌（グラム陽性及びグラム陰性の両方）及び菌類の両方に効果のあるものを使用することが好ましい。限定されたスペクトル防腐剤、例えば、微生物の１つの群（例えば菌類）のみに効果のあるものは、広域スペクトルの防腐剤あるいは相補及び／又は補助活性を備える他の限定されたスペクトルの防腐剤と組み合わせて使用することができる。広域スペクトルの防腐剤の混合物も使用することができる。特定の群の微生物の汚染物質が問題になるいくつかの場合において（例えばグラム陰性）、アミノカルボン酸キレート化剤（本明細書において、キレート剤とも呼ばれる）を単剤で、又は他の防腐剤と併用して相乗剤として使用してもよい。例えばエチレンジアミン四酢酸（ＥＤＴＡ）、ヒドロキシエチレンジアミン三酢酸、ジエチレントリアミン五酢酸、及び他のアミノカルボン酸キレート化剤、及びこれらの混合物が挙げられるこれらのキレート化剤は、グラム陰性菌、特にシュードモナス種に対する防腐剤効果を高めることができる。
【００４５】
本発明において有用な抗菌防腐剤としては、殺菌性化合物、すなわち、微生物を殺す物質、又は静菌性化合物、すなわち微生物の増殖を阻害する及び／又は制御する物質が挙げられる。
【００４６】
好ましい抗菌防腐剤は、水溶性であり、かつ低い濃度で効果的であるものである。本発明において有用な水溶性防腐剤は、水中で、水１００ｍＬ当たり少なくとも約０．３ｇ、すなわち室温で約０．３％超過、好ましくは室温で約０．５％超過の溶解度を有するものである。
【００４７】
防腐剤は、布地の外観に損傷（例えば変色、着色、脱色）を生じさせない任意の有機防腐剤の物質であってもよい。本発明の組成物の水溶性防腐剤は、有機硫黄化合物、ハロゲン化化合物、環式有機窒素化合物、低分子量アルデヒド、第四級アンモニウム化合物、デヒドロ酢酸、フェニル、及びフェノール樹脂化合物、パラベン、並びにこれらの混合物から選択される。好ましくは、本発明の組成物は、第四級アンモニウム化合物を含まない。これらの種の性質により、凝集体が形成される場合があり、これは送達システムにおける閉塞又は装置自体の内部の潜在的な蓄積を生じさせる可能性がある。
【００４８】
以下は、本発明の組成物に使用するための防腐剤である。
【００４９】
（１）．有機硫黄化合物
本発明に使用するのに好ましい水溶性防腐剤は有機硫黄化合物である。本発明に使用するのに適した有機硫黄化合物の、いくつかの非限定的な例は以下の通りである：
（ａ）３−イソチアゾロン化合物
好ましい防腐剤は、以下の式を有する３−イソチアゾロン基を含有する抗菌有機防腐剤である：
【化１】
0005362850.tif 000006
式中、
Ｙは、約１〜約１８個の炭素原子の非置換アルキル、アルケニル若しくはアルキニル基、約３〜約６個の及び最高１２個の炭素原子を有する非置換若しくは置換シクロアルキル基、最高約１０個の炭素原子の非置換若しくは置換アラルキル基、又は最高約１０個の炭素原子の非置換若しくは置換アリール基であり、
Ｒ１は、水素、ハロゲン、又は（Ｃ１〜Ｃ４）アルキル基であり、
Ｒ２は、水素、ハロゲン、又は（Ｃ１〜Ｃ４）アルキル基である。
【００５０】
好ましくは、Ｙがメチル又はエチルであるとき、Ｒ１及びＲ２は両方とも水素であってはならない。酸、例えば、塩酸、硝酸、硫酸などと化合物を反応させることによって形成されたこれらの化合物の塩もまた適している。
【００５１】
この部類の化合物は、１９８１年５月５日に出願された米国特許第４，２６５，８９９号（Ｌｅｗｉｓら）に開示されており、参照により本明細書に組み込まれる。前述の化合物の例は、５−クロロ−２−メチル−４−イソチアゾリン−３−オン；２−ｎ−ブチル−３−イソチアゾロン；２−ベンジル−３−イソチアゾロン；２−フェニル−３−イソチアゾロン、２−メチル−４，５−ジクロロイソチアゾロン；５−クロロ−２−メチル−３−イソチアゾロン；２−メチル−４−イソチアゾリン−３−オン；及びこれらの混合物である。好ましい防腐剤は、５−クロロ−２−メチル−４−イソチアゾリン−３−オンと２−メチル−４−イソチアゾリン−３−オンとの水溶性混合物、より好ましくは、約７７％の５−クロロ−２−メチル−４−イソチアゾリン−３−オンと約２３％の２−メチル−４−イソチアゾリン−３−オンの混合物、商標名Ｋａｔｈｏｎ（登録商標）ＣＧでＲｏｈｍ  ａｎｄ  Ｈａａｓ  Ｃｏｍｐａｎｙから入手可能な１．５％の水溶液として入手可能な広域スペクトルの防腐剤である。
【００５２】
Ｋａｔｈｏｎ（登録商標）が、本発明で防腐剤として使用されるとき、それは、組成物の約０．０００１重量％〜約０．０１重量％、好ましくは約０．０００２重量％〜約０．００５重量％、より好ましくは約０．０００３重量％〜約０．００３重量％、最も好ましくは約０．０００４重量％〜約０．００２重量％の濃度で存在する。
【００５３】
他のイソチアゾリンとしては、商標名Ｐｒｏｘｅｌ（登録商標）製品で入手可能な１，２−ベンズイソチアゾリン−３−オン及び商標名Ｐｒｏｍｅｘａｌ（登録商標）で入手可能な２−メチル−４，５−トリメチレン−４−イソチアゾリン−３−オンが挙げられる。Ｐｒｏｘｅｌ及びＰｒｏｍｅｘａｌは両方ともＺｅｎｅｃａから入手可能である。それらは、広いｐＨ範囲（すなわち４〜１２）にわたって安定性を有する。いずれも活性ハロゲンを含有せず、ホルムアルデヒド放出防腐剤ではない。使用組成物の約０．００１重量％〜約０．５重量％、好ましくは約０．００５重量％〜約０．０５重量％、最も好ましくは約０．０１重量％〜約０．０２重量％の濃度で使用されたとき、Ｐｒｏｘｅｌ及びＰｒｏｍｅｘａｌは両方とも、一般的なグラム陰性及び陽性菌、菌類、酵母菌に対して効果的である。
【００５４】
（ｂ）ピリチオンナトリウム
他の好ましい有機硫黄防腐剤は、約５０％の水溶性を備えるピリチオンナトリウムである。ピリチオンナトリウムが、本発明で防腐剤として使用されるとき、それは、通常は、使用組成物の約０．０００１重量％〜約０．０１重量％、好ましくは約０．０００２重量％〜約０．００５重量％、より好ましくは約０．０００３重量％〜約０．００３重量％の濃度で存在する。
【００５５】
好ましい有機硫黄化合物の混合物もまた、本発明で防腐剤として使用することができる。
【００５６】
（２）．ハロゲン化化合物
本発明に使用するための好ましい防腐剤はハロゲン化化合物である。本発明に使用するのに適したハロゲン化化合物の、いくつかの非限定的な例は以下の通りである：
Ｈｅｎｋｅｌから商標名Ｂｒｏｎｉｄｏｘ  Ｌ（登録商標）で入手可能な５−ブロモ−５−ニトロ−１，３−ジオキサン。Ｂｒｏｎｉｄｏｘ  Ｌ（登録商標）は、水中で約０．４６％の溶解度を有する。Ｂｒｏｎｉｄｏｘが、本発明で防腐剤として使用されるとき、それは、通常は、使用組成物の約０．０００５重量％〜約０．０２重量％、好ましくは約０．００１重量％〜約０．０１重量％の濃度で存在する。
【００５７】
Ｉｎｏｌｅｘから商標名Ｂｒｏｎｏｐｏｌ（登録商標）で入手可能な２−ブロモ−２−ニトロプロパン−１，３−ジオール。Ｂｒｏｎｏｐｏｌは、水中で約２５％の溶解度を有する。Ｂｒｏｎｏｐｏｌが、本発明で防腐剤として使用されるとき、それは、通常は、使用組成物の約０．００２重量％〜約０．１重量％、好ましくは約０．００５重量％〜約０．０５重量％の濃度で存在する。
【００５８】
一般的にクロルヘキシジンとして既知である１，１’−ヘキサメチレンビス（５−（ｐ−クロロフェニル）ビグアニド）及びその塩は、例えば酢酸及びグルコン酸と共に、本発明で防腐剤として使用されてもよい。このジグルコン酸塩は極めて水溶性に富み、水に約７０％溶解し、この二酢酸塩の水に対する溶解度は約１．８％である。クロルヘキシジンが、本発明で防腐剤として使用されるとき、それは、通常は、使用組成物の約０．０００１重量％〜約０．０４重量％、好ましくは約０．０００５重量％〜約０．０１重量％の濃度で存在する。
【００５９】
１，１，１−トリクロロ−２−メチルプロパン−２−オールは、一般にクロロブタノールとして既知であり、約０．８％の水溶性を有し、クロロブタノールの典型的な有効濃度は、使用組成物の約０．１重量％〜約０．５重量％である。
【００６０】
４，４’−（トリメチレンジオキシ）ビス−（３−ブロモベンズアミジン）ジイセチオネート、又はジブロモプロパミジンは、約５０％の水溶性を有し、ジブロモプロパミジンが本発明で防腐剤として使用されるとき、それは通常は、使用組成物の約０．０００１重量％〜約０．０５重量％、好ましくは約０．０００５重量％〜約０．０１重量の濃度で存在する。
【００６１】
好ましいハロゲン化化合物の混合物もまた、本発明で防腐剤として使用することができる。
【００６２】
（３）．環式有機窒素化合物
本発明に使用するための好ましい水溶性防腐剤は、有機窒素化合物である。本発明に使用するのに適した有機窒素化合物の、いくつかの非限定的な例は以下の通りである：
（ａ）イミダゾリジンジオン化合物
本発明に使用するための好ましい防腐剤はイミダゾリジンジオン（imidazolidione）化合物である。本発明に使用するのに適したイミダゾリジンジオン化合物の、いくつかの非限定的な例は以下の通りである：
一般にジメチロールジメチルヒダントイン、又は、例えば、ＬｏｎｚａからＧｌｙｄａｎｔ（登録商標）として入手可能である、ＤＭＤＭヒダントインとして既知である、１，３−ビス（ヒドロキシメチル）−５，５−ジメチル−２，４−イミダゾリジンジオン。ＤＭＤＭヒダントインは、水中で５０％超過の水溶性を有し、主に細菌に効果的である。ＤＭＤＭヒダントインが使用されるとき、それは広域スペクトルの防腐剤、例えば、Ｋａｔｈｏｎ  ＣＧ（登録商標）又はホルムアルデヒドと組み合わせて使用されることが好ましい。好ましい混合物は、Ｌｏｎｚａから商標名Ｇｌｙｄａｎｔ  Ｐｌｕｓ（登録商標）で入手可能な約９５：５のＤＭＤＭヒダントイン対３−ブチル−２−ヨードプロピニルカルバメート混合物である。Ｇｌｙｄａｎｔ  Ｐｌｕｓ（登録商標）が、本発明で防腐剤として使用されるとき、それは、通常は、使用組成物の約０．００５重量％〜約０．２重量の濃度で存在する。
【００６３】
一般にジアゾリジニル尿素として既知であり、商標名Ｇｅｒｍａｌｌ  ＩＩ（登録商標）でＳｕｔｔｏｎ  Ｌａｂｏｒａｔｏｒｉｅｓ  Ｉｎｃ．（Ｓｕｔｔｏｎ）から入手可能なＮ−［１，３−ビス（ヒドロキシメチル）２，５−ジオキソ−４−イミダゾリジニル］−Ｎ，Ｎ’−ビス（ヒドロキシメチル）尿素は、本発明において防腐剤として使用されてもよい。Ｇｅｒｍａｌｌ  ＩＩ（登録商標）が、本発明で防腐剤として使用されるとき、それは、通常は、使用組成物の約０．０１重量％〜約０．１重量％の濃度で存在する。
【００６４】
Ｎ，Ｎ”−メチレンビス｛Ｎ’−［１−（ヒドロキシメチル）−２，５−ジオキソ−４−イミダゾリジニル］尿素｝は、一般にイミダゾリジニル尿素として既知であり、３Ｖ−Ｓｉｇｍａから商標名Ａｂｉｏｌ（登録商標）、ＩｎｄｕｃｈｅｍからＵｎｉｃｉｄｅ  Ｕ−１３（登録商標）、（Ｓｕｔｔｏｎ）からＧｅｒｍａｌｌ  １１５（登録商標）で入手可能であり、本発明で防腐剤として使用され得る。イミダゾリジニル尿素が、防腐剤として使用されるとき、それは、通常は、使用組成物の約０．０５重量％〜約０．２重量％の濃度で存在する。
【００６５】
好ましいイミダゾリジンジオン化合物の混合物もまた、本発明で防腐剤として使用することができる。
【００６６】
（ｂ）ポリメトキシ二環式オキサゾリジン
他の好ましい水溶性環式有機窒素防腐剤は、以下の一般式を有するポリメトキシ二環式オキサゾリジンである：
【化２】
0005362850.tif 000007
式中、ｎは約０〜約５の値を有し、Ｈｕｌｓ  Ａｍｅｒｉｃａから商標名Ｎｕｏｓｅｐｔ（登録商標）で入手可能である。Ｎｕｏｓｅｐｔ（登録商標）Ｃが、防腐剤として使用されるとき、それは、通常は、使用組成物の約０．００５重量％〜約０．１重量％の濃度で存在する。
【００６７】
好ましい環式有機窒素化合物の混合物もまた、本発明で防腐剤として使用することができる。
【００６８】
（４）．低分子量アルデヒド
（ａ）．ホルムアルデヒド
本発明に使用するための好ましい防腐剤はホルムアルデヒドである。ホルムアルデヒドは、広域スペクトルの防腐剤であり、これは通常、３７％の水溶液のホルアルデヒドであるホルマリンとして入手可能である。ホルムアルデヒドが、本発明で防腐剤として使用されるとき、通常の濃度は、使用組成物の約０．００３重量％〜約０．２重量％、好ましくは約０．００８重量％〜約０．１重量％、より好ましくは約０．０１重量％〜約０．０５重量％の濃度である。
【００６９】
（ｂ）．グルタルアルデヒド
本発明に使用するための好ましい防腐剤はグルタルアルデヒドである。グルタルアルデヒドは水溶性で、広域スペクトルの防腐剤であり、一般に、２５％又は５０％水溶液として入手可能である。グルタルアルデヒドが、本発明で防腐剤として使用されるとき、それは、通常は、使用組成物の約０．００５重量％〜約０．１重量％、好ましくは約０．０１重量％〜約０．０５重量％の濃度で存在する。
【００７０】
（５）．デヒドロ酢酸
本発明に使用するための好ましい防腐剤はデヒドロ酢酸である。デヒドロ酢酸は、それが水溶性であるように、好ましくはナトリウム又はカリウム塩の形態にある広域スペクトルの防腐剤である。この防腐剤は、殺菌性防腐剤よりも、より静菌防腐剤として作用する。デヒドロ酢酸が防腐剤として使用されるとき、それは、通常は、使用組成物の約０．００５重量％〜約０．２重量％、好ましくは約０．００８重量％〜約０．１重量％、より好ましくは約０．０１重量％〜約０．０５重量％の濃度で使用される。
【００７１】
（６）．フェニル及びフェノール化合物
本発明に使用するのに適したフェノール及びフェノール化合物の、いくつかの非限定的な例は以下の通りである：
一般にプロパミジンイセチオネートとして既知の、約１６％の水溶性を有する、４，４’−ジアミジノ−α，ω−ジフェノキシプロパンジイセチオネート及び一般にヘキサミジンイセチオネートとして既知の４，４’−ジアミジノ−α，ω−ジフェノキシヘキサンジイセチオネートである。これらの塩の典型的な有効濃度は、使用組成物の約０．０００２重量％〜約０．０５重量％である。
【００７２】
他の例は、ベンジルアルコール（約４％の水溶性）；２−フェニルエタノール（約２％の水溶性）；及び２−フェノキシエタノール（約２．６７％の水溶性）であり、これらのフェニル及びフェノキシアルコールの典型的な有効濃度は、使用組成物の約０．１重量％〜約０．５重量％である。本明細書に用いるのに好ましいのは、ベンジルアルコールである。
【００７３】
（７）．パラベン
ｐ−ヒドロキシ安息香酸の短鎖アルキルエステルは一般に、パラベンとして既知である。好ましいパラベンとしては、３，４，４’−トリクロロカルバニリド又はトリクロカルバンとしても既知であるＮ−（４−クロロフェニル）−Ｎ’−（３，４−ジクロロフェニル）尿素又は一般にトリクロサンとして既知である、２，４，４’−トリクロロ−２’−ヒドロキシジフェニルエーテルが挙げられる。
【００７４】
（８）．それらの混合物
本発明の防腐剤は、広範囲の微生物を抑制するために、混合して使用することができる。
【００７５】
シクロデキストリン
好ましくは、本発明の組成物は、組成物の約０．０１重量％〜約２０重量％、より好ましくは約０．０５重量％〜約５重量％、より好ましくは約０．０６重量％〜約２重量％のシクロデキストリンを含む。
【００７６】
本明細書で使用される用語「シクロデキストリン」は、６〜１２個のグルコース単位を含有する非置換型シクロデキストリン、特に、α−シクロデキストリン、β−シクロデキストリン、γ−シクロデキストリン、及び／又はこれらの誘導体及び／又はこれらの混合物のような既知のシクロデキストリンのいずれかを含む。グルコース単位の特定のカップリング及び高次構造は、シクロデキストリンに特定の体積の中空内部を有する剛性、円錐分子構造を与える。空洞の独特の形状及び空洞の物理的−化学的性質により、シクロデキストリン分子は、空洞に収まることのできる有機分子又は有機分子の一部を吸収する（包接錯体を形成する）ことが可能になる。多くの悪臭分子及び香料分子などの、多くの匂い分子が空洞に収まることができる。したがって、シクロデキストリン及び特に異なる大きさの空洞を有するシクロデキストリンの混合物を用いて、反応性官能基を含有することも含有しないこともある、広域スペクトルの、匂いを発生する有機物質に起因する匂いを抑制することができる。布地リフレッシュ組成物溶液中のシクロデキストリン内の空洞は、溶液を表面に適用するとき、シクロデキストリンが種々の匂い分子を吸収できるように、溶液中では本質的に空である（シクロデキストリンが錯体化しないまま残っている）べきである。好ましくは、本明細書で使用されるシクロデキストリン、例えば、α−シクロデキストリン及び／又はその誘導体、γ−シクロデキストリン及び／又はその誘導体、誘導体化β−シクロデキストリン、及び／又はそれらの混合物は、極めて水溶性に富む。シクロデキストリンの誘導体は、主に、一部の−ＯＨ基が−ＯＲ基に変換されている分子からなる。シクロデキストリン誘導体としては、例えば、メチル化シクロデキストリン及びエチル化シクロデキストリン（式中、Ｒはメチル基又はエチル基である）のように、短鎖アルキル基を有するもの；ヒドロキシプロピルシクロデキストリン及び／又はヒドロキシエチルシクロデキストリン（式中、Ｒは−ＣＨ２−ＣＨ（ＯＨ）−ＣＨ３又は−ＣＨ２ＣＨ２−ＯＨ基である）のような、ヒドロキシアルキル置換基を有するもの；マルトース結合シクロデキストリンのような分枝鎖シクロデキストリン；２−ヒドロキシ−３−（ジメチルアミノ）プロピルエーテル（式中、Ｒは、低ｐＨでカチオン性である、ＣＨ２−ＣＨ（ＯＨ）−ＣＨ２−Ｎ（ＣＨ３）２である）を含有するもののようなカチオン性シクロデキストリン；第四級アンモニウム、例えば、２−ヒドロキシ−３−（トリメチルアンモニオ）プロピルエーテルクロリド基（式中、ＲはＣＨ２−ＣＨ（ＯＨ）−ＣＨ２−Ｎ＋（ＣＨ３）３Ｃｌ−である）；カルボキシメチルシクロデキストリン、シクロデキストリンサルフェート及びシクロデキストリンスクシニレートのようなアニオン性シクロデキストリン；カルボキシメチル／第四級アンモニウムシクロデキストリンのような両性シクロデキストリン；少なくとも１個のグルコピラノース単位が３−６−アンヒドロ−シクロマルト構造を有するシクロデキストリン、例えば、「Ｏｐｔｉｍａｌ  Ｐｅｒｆｏｒｍａｎｃｅｓ  ｗｉｔｈ  Ｍｉｎｉｍａｌ  Ｃｈｅｍｉｃａｌ  Ｍｏｄｉｆｉｃａｔｉｏｎ  ｏｆ  Ｃｙｃｌｏｄｅｘｔｒｉ���ｓ」（Ｆ．Ｄｉｅｄａｉｎｉ−Ｐｉｌａｒｄ及びＢ．Ｐｅｒｌｙ、Ｔｈｅ  ７ｔｈ  Ｉｎｔｅｒｎａｔｉｏｎａｌ  Ｃｙｃｌｏｄｅｘｔｒｉｎ  Ｓｙｍｐｏｓｉｕｍ  Ａｂｓｔｒａｃｔｓ，Ａｐｒｉｌ  １９９４，ｐ．４９、この参考文献は参考として本明細書に組み込まれる）に開示されているようなモノ−３−６−アンヒドロシクロデキストリン；並びにこれらの混合物が挙げられる。他のシクロデキストリン誘導体は、米国特許第３，４２６，０１１号（Ｐａｒｍｅｒｔｅｒら）（１９６９年２月４日発行）；同第３，４５３，２５７号；同第３，４５３，２５８号；同第３，４５３，２５９号；及び同第３，４５３，２６０号（これらは全てＰａｒｍｅｒｔｅｒらの名において１９６９年７月１日発行）；同第３，４５９，７３１号（Ｇｒａｍｅｒａら）（１９６９年８月５日発行）；同第３，５５３，１９１号（Ｐａｒｍｅｒｔｅｒら）（１９７１年１月５日発行）；同第３，５６５，８８７号（Ｐａｒｍｅｒｔｅｒら）（１９７１年２月２３日発行）；同第４，５３５，１５２号（Ｓｚｅｊｔｌｉら）（１９８５年８月１３日発行）；同第４，６１６，００８号（Ｈｉｒａｉら）（１９８６年１０月７日発行）；同第４，６７８，５９８号（Ｏｇｉｎｏら）（１９８７年７月７日発行）；同第４，６３８，０５８号（Ｂｒａｎｄｔら）（１９８７年１月２０日発行）；及び同第４，７４６，７３４号（Ｔｓｕｃｈｉｙａｍａら）（１９８８年５月２４日発行）に開示されており、これら全ての特許は参考として本明細書に組み込まれる。
【００７７】
極めて水溶性であるシクロデキストリンは、室温で１００ｍＬの水に少なくとも約１０ｇ、好ましくは１００ｍＬの水に少なくとも約２０ｇ、より好ましくは室温で１００ｍＬの水に少なくとも約２５ｇの水溶性を有するものである。可溶化された、複合体化してないシクロデキストリンの有用性は、有効かつ効率的な匂い抑制性能には必須である。可溶化された水溶性シクロデキストリンは、表面、特に布地の上に付着すると、非水溶性シクロデキストリンよりも効率良く匂い抑制性能を示すことができる。本明細書に用いるのに好適な好ましい水溶性のシクロデキストリン誘導体の例は、ヒドロキシプロピルα−シクロデキストリン、メチル化α−シクロデキストリン、メチル化β−シクロデキストリン、ヒドロキシエチルβ−シクロデキストリン、及びヒドロキシプロピルβ−シクロデキストリンである。シクロデキストリン当たりの−ＯＲ基の総数を置換度として定義するとき、ヒドロキシアルキルシクロデキストリン誘導体は、好ましくは、約１〜約１４、より好ましくは約１．５〜約７の置換度を有する。メチル化シクロデキストリン誘導体は、典型的には、約１〜約１８、好ましくは約３〜約１６の置換度を有する。既知のメチル化β−シクロデキストリンは、各グルコース単位が約１４の置換度の約２個のメチル基を有する、一般にＤＩＭＥＢとして知られる、へプタキス−２，６−ジ−Ｏ−メチル−β−シクロデキストリンである。より多く市販されている好ましいメチル化β−シクロデキストリンは、通常約１２．６の異なる置換度を有する、一般にＲＡＭＥＢとして知られる、ランダムにメチル化されたβ−シクロデキストリンである。ＤＩＭＥＢは、好ましい界面活性剤の界面活性にＲＡＭＥＢよりも大きな影響を及ぼすため、ＲＡＭＥＢがＤＩＭＥＢよりも好ましい。好ましいシクロデキストリンは、例えば、Ｃｅｒｅｓｔａｒ  ＵＳＡ，Ｉｎｃ．及びＷａｃｋｅｒ  Ｃｈｅｍｉｃａｌｓ（ＵＳＡ），Ｉｎｃ．から入手可能である。
【００７８】
シクロデキストリンの混合物を使用することも好ましい。このような混合物は、広範な分子サイズを有する広範な、匂いを発する分子と錯体化することにより、より広範な匂いを吸収する。好ましくは、シクロデキストリンの少なくとも一部は、α−シクロデキストリン及びその誘導体、γ−シクロデキストリン及びその誘導体、及び／又は誘導体化β−シクロデキストリンであり、より好ましくはα−シクロデキストリン又はα−シクロデキストリン誘導体と、誘導体化β−シクロデキストリンとの混合物であり、更により好ましくは誘導体化α−シクロデキストリンと誘導体化β−シクロデキストリンとの混合物であり、最も好ましくはヒドロキシプロピルα−シクロデキストリンとヒドロキシプロピルβ−シクロデキストリンとの混合物及び／又はメチル化α−シクロデキストリンとメチル化β−シクロデキストリンとの混合物である。
【００７９】
任意成分
本明細書の組成物は更に、布地ケア製品の分野で典型的に使用される１つ以上の任意成分を含み得る。例示的な任意成分には、界面活性剤、布地しわ制御剤、布地柔軟化剤、静電気防止剤、キレート剤、防虫・防蛾剤、着色剤、及びこれらの混合物が挙げられるが、これらに限定されない。任意成分の合計濃度は低く、組成物に対して好ましくは約５重量％未満、又は約３重量％未満、又は約２重量％未満である。
【００８０】
好ましい実施形態では、本明細書の組成物は、約０．００５重量％〜０．１重量％、又は約０．０１重量％〜約０．５重量％の界面活性剤を含む。本明細書に用いるのに好ましい界面活性剤としては、シロキサン界面活性剤が挙げられる。界面活性剤は、組成物を、ポリエステル及びナイロンのような疎水性表面上に、容易にかつより均一に展着させる低表面張力を提供する。界面活性剤を含有する香料組成物は、布地物品上に十分に展着するということが見出されている。組成物の展着はまた、それが速く乾燥するのを可能にし、乾燥プロセスをより効果的にする。更に、界面活性剤を含有する組成物は、疎水性の油性の汚れに、より良く浸透でき、悪臭抑制が改善され得る。界面活性剤はまた、分散剤、乳化剤として、好ましくは可溶化剤として、本明細書の組成物中に必要とされる。本明細書に用いるための界面活性剤は、組成物内において他の構成成分と適合性がなくてはならず、香料の特性を変更してはならない。
【００８１】
所望により、組成物は、約０．１重量％〜約１０重量％、又は約０．５重量％〜約７重量％、又は約１重量％〜約５重量％の布地しわ制御剤を含有し、好ましくはこの布地しわ制御剤は、シリコーン、形状保持ポリマー、親水性可塑剤、リチウム塩、及びこれらの混合物からなる群から選択される。シリコーンは、布地、特に衣類中の繊維に潤滑特性を付与するため、又は滑り性能を増大させるために、本明細書において使用できる。好ましいシリコーンは、約８個未満、好ましくは約６個未満の炭素原子をもつペンダントアルキル基を有し、ペンダントアリール基は有さない。有用なシリコーン類の非限定的な例としては、ポリジメチルシリコーン及び揮発性シリコーンなどの非硬化性シリコーン、並びに、アミノシリコーン及びヒドロキシシリコーンなどの硬化性シリコーンが挙げられる。所望によりこの組成物には、布地繊維、特に木綿繊維を柔軟にするための、親水性可塑剤を含めることができる。好ましい親水性可塑剤の例には、例えばグリセロール、エチレングリコール、プロピレングリコール、ジエチレングリコール、ジプロピレングリコール、ソルビトール、エリスリトール、又はこれらの混合物などの短鎖多価アルコールがあり、より好ましくは、ジエチレングリコール、ジプロピレングリコール、エチレングリコール、プロピレングリコール、及びこれらの混合物である。リチウム塩は、布地しわ制御性能を向上させるために、組成物中で使用することができる。本明細書において有用なリチウム塩の非限定的な例としては、臭化リチウム、臭化リチウム水和物、塩化リチウム、塩化リチウム水和物、酢酸リチウム、酢酸リチウム二水和物、乳酸リチウム、硫酸リチウム、硫酸リチウム一水和物、酒石酸リチウム、酒石酸水素リチウム、及びこれらの混合物がある。
【００８２】
洗濯装置
回転乾燥機は、洗濯物の布地（衣類及び他の織物）から、これらが洗濯機内で清浄された直後に、水分を取り除くために従来使用されている家庭用電化製品である。
【００８３】
大半の乾燥機は、それを通じて加熱空気が循環し、洗濯物から水分を蒸発させるための回転ドラムからなる。ドラムは、洗濯物中の物品間の空間を維持するために、通常は比較的ゆっくりと回転する。大半の場合では、タンブラーはモーター駆動であり、好ましく誘導電動機によるベルト駆動式である。一部の乾燥機は、単一モーターを使用してドラムを回転させ、空気流を作り出す。２つの独立したモーター（１つはドラム用、もう１つは空気流を生じさせるためのもの）を有する乾燥機は、操作の更なる柔軟性を与え、ドラムが気流なしで回転するときに、香料組成物の送達を可能にし、これによって、適した付着の度合い及び均一性となる。これはまた、乾燥した洗濯物の場合に、特に適しているということが見出されている。
【００８４】
本発明の方法で使用するための装置は、液体送達システムを有し、香料組成物をドラム内に供給する。
【００８５】
理論に限定されるものではないが、洗濯装置のドラム内の布地に対する分布均一性及び香料組成物の付着の両方に影響し得るいくつかの要因としては、ドラム内香料組成物の流量、香料組成物の液滴直径、ドラム内のノズルの位置、ドラム内スプレーの円錐角及びドラム内香料組成物の直線速度が挙げられる。
【００８６】
ノズルの配置及びノズルの角度は、装置内の布地物品とのスプレーの接触を最適化するように選択すべきである。処置液の送達の非常に効率的な方法（均一及び効率的な布地適用範囲に関して）は、ノズルが、乾燥機通気口／注入口のスクリーンに、又はドラムの上部に直接狙いを定めないような角度を選択することである。更に、一般に、回転する布地の円の下部で布地に接触するために装置のドラム周辺まわりの布地の回転により作られる空の空間／トンネルを通ってノズルからのスプレーが放出されようノズルに角度を付けることが望ましい。また、乾燥機ドラムが回転中、布地が最も高い垂直方向の点から最も低い垂直方向の点に落ちるとき、装置内で回転させられる布地とスプレーが交差するようノズルを特定の角度に曲げることが有効であり得る。
【００８７】
本発明の方法に適した乾燥機は、所望により通気システムを有してもよい。本明細書に用いるのに好ましいのは、通気システムのない乾燥機であるが、それは、これらの乾燥機が処置液の使用に関してより効率的であるからである。通気システムを備える乾燥機において好ましいのは、処置液の送達を、通気システムが閉じた状態で行うことである（損失を回避するため）。
【００８８】
好ましくは、香料組成物は、約１００ミクロン〜約１４００ミクロン、より好ましくは約２００ミクロン〜約１３００ミクロン、更に好ましくは約３００ミクロン〜約１２００ミクロン、特に約５００ミクロン〜約１１００ミクロンの平均液滴径を持つ液滴を有するスプレーの形態で、布地上に送達される。液滴径分布は、液滴の１０％未満が５０ミクロン未満のサイズを有し、１０％未満が１６００ミクロン超過のサイズを有するようなものであることが、また好ましい。「サイズ」によって、本明細書では液滴の直径を意味する。この液滴径の範囲は、香料組成物の良好な分布となり、布地の縞状化及び染みを回避する。
【００８９】
液滴直径を測定する好適な機器はＭａｌｖｅｒｎ  Ｉｎｓｔｒｕｍｅｎｔｓ  Ｌｔｄ．（Ｆｒａｍｉｎｇｈａｍ，Ｍａｓｓａｃｈｕｓｅｔｔｓ）製のＭａｌｖｅｒｎ粒径測定器である。
【００９０】
ドラム内のスプレーの流量は、好ましくは、約０．５〜約１００ｍＬ／分、より好ましくは約１〜約７５ｍＬ／分、更に好ましくは約２〜約５０ｍＬ／分、特に約１５〜約２５ｍＬ／分である。「Ｍｅａｓｕｒｅｍｅｎｔ  ｏｆ  Ｌｉｑｕｉｄ  Ｆｌｏｗ  ｉｎ  Ｃｌｏｓｅｄ  Ｃｏｎｄｕｉｔｓ  ｂｙ  Ｗｅｉｇｈｉｎｇ  Ｍｅｔｈｏｄ」と題するＡＳＭＥ／ＡＮＳＩ  ＭＦＣ−９Ｍ−１９８８に流量を測定する一つの好適な方法が見出される。
【００９１】
好ましくは、ドラム内のスプレーの直線速度は、約０．０５〜約２ｍ／秒、より好ましくは約０．１〜約１ｍ／秒である。回転乾燥機ドラム内のスプレー長さはドラムの回転軸線に沿って測定するときドラム長さの約２０％〜約９５％である。直線速度を測定する一つの好適な方法はＡｌｂｒｅｃｈｔ、Ｈ．Ｅ．、Ｄａｍａｓｃｈｋｅ  Ｎ．、Ｂｏｒｙｓ、Ｍ．及びＴｒｏｐｅａ、Ｃ．により著された２００３年、ＸＩＶ、７３８巻、３８２頁の「Ｅｘｐｅｒｉｍｅｎｔａｌ  Ｆｌｕｉｄ  Ｍｅｃｈａｎｉｃｓ」シリーズの「Ｌａｓｅｒ  Ｄｏｐｐｌｅｒ  ａｎｄ  Ｐｈａｓｅ  Ｄｏｐｐｌｅｒ  Ｍｅａｓｕｒｅｍｅｎｔ  Ｔｅｃｈｎｉｑｕｅｓ」編に記載されているようなレーザードップラー測風学を活用している。
【００９２】
スプレー液の円錐角は、スプレー液が回転乾燥機のドラム内にスプレーされるときにスプレー液が形成する角度を指す。スプレー液の円錐角は約３５°〜約１５０°、約４０°〜約１１０°、又は約５０°〜約９０°である。
【００９３】
本明細書に示される全ての百分率は、特に明記しない限り重量を基準としている。本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。
【実施例】
【００９４】
乾燥機内の送達
表１に例示された香料組成物は、添加のための引き込み口、貯留層、乾燥機内で組成物を布地物品へ移送するためのポンプ、及び組成物を送達するための、ドラム内のノズルを含む、適切に装備された乾燥機に添加される。スプレー機構は、ユーザーの入力に基づいて、任意の乾燥サイクルで作動することができる。所定のレベルの布地の乾燥度（布地１ｋｇ当たり０．５Ｌ未満）に達したとき、サイクルのスプレー段階が作動する。まずはじめに、ヒーターが停止し、クールダウン中に、ドラムはまだ回転しながら、５０ｍＬの香料組成物が、表３において以下に概略されるシーケンスによって、６０ｍＬ／分の速度で送達される。乾燥プロセス中に、洗濯室は香料で満たされる。乾燥布地物品は、乾燥の終了には心地良く賦香される。
【表３】
0005362850.tif 000008
１：Ｒｈｏｍ  ａｎｄ  Ｈａａｓから入手可能なＫｏｒａｌｏｎｅ  Ｂ−１１９（１，２ベンズイソチアゾリン３−オン）
２：ＧＥから入手可能なシリコーン界面活性剤
３：ＢＡＳＦから入手可能な界面活性剤
４：表２に例示された香料
【表４】
0005362850.tif 000009
【表５】
0005362850.tif 000010
【００９５】
洗濯機内の送達
表１による香料組成物は、有益組成物を添加するための貯留層、及び貯留層から内部ドラムへの香料組成物の移送のための送達システムを特徴とする、適切に装備された洗濯機に添加される。送達システムの例は、ポンプを介してドラム内部に位置する、ノズルに貯留層を接続するチューブである。洗浄サイクルのすすぎ段階に続いて、ドラム回転中に、５０ｍＬの香料組成物が、ドラム内部の布地物品上に噴射される。ドラム回転は４分間続き、サイクルの高速回転段階が続く。布地物品を次いで、物干し網又は乾燥機（別個の回転乾燥機、又は機械が洗濯／乾燥機の場合には、洗濯機内で）のいずれかで乾燥させる。洗濯室は、乾燥プロセス中に心地良く賦香され、布地物品は心地良く賦香されて仕上がる。